(57)【特許請求の範囲】
【請求項１】
ディスクテーブルに装着されるディスク状記録媒体の半径方向へ移動する移動ベースを有すると共に該移動ベースに設けられた発光素子から照射されたレーザー光を対物レンズを介してディスク状記録媒体の記録面に照射する光学ピックアップに設けられ、ディスク状記録媒体の記録面にレーザー光が集光するようにフォーカシング調整及びトラッキング調整を行う対物レンズ駆動装置であって、
支持軸部が対物レンズの光軸方向へ突出して設けられると共にそれぞれマグネットが取り付けられた少なくとも一対のヨーク部を有するベース体と、
被支持孔を有し該被支持孔に上記支持軸部が挿入されて該支持軸部の軸回り方向に回動自在かつ支持軸部の軸方向に摺動自在に支持されると共にフォーカシング調整時にディスクテーブルに装着されたディスク状記録媒体の記録面に離接する方向であるフォーカシング方向に動作されトラッキング調整時にディスクテーブルに装着されたディスク状記録媒体の略半径方向であるトラッキング方向に動作される可動部と、
該可動部に取り付けられると共に上記マグネットに引き寄せられて可動部をフォーカシング方向及びトラッキング方向における中立位置にそれぞれ保持する略環状に形成された磁性部材とを備え、
該磁性部材は、その中心軸が可動部の被支持孔の中心軸に対して、トラッキング方向に直交する方向に所定の角度傾斜された状態で可動部に取り付けられた
ことを特徴とする対物レンズ駆動装置。
【請求項２】
上記磁性部材として、一部が切断されてスリットが形成された略円環状の部材を用いた
ことを特徴とする請求項１に記載の対物レンズ駆動装置。
【請求項３】
被支持孔の中心軸に対する磁性部材の中心軸の傾斜角度を２０°乃至４０°とした
ことを特徴とする請求項１に記載の対物レンズ駆動装置。
【請求項４】
被支持孔の中心軸に対する磁性部材の中心軸の傾斜角度を２０°乃至４０°とした
ことを特徴とする請求項２に記載の対物レンズ駆動装置。
【請求項５】
ディスクテーブルに装着されるディスク状記録媒体の半径方向へ移動する移動ベースを有すると共に該移動ベースに設けられた発光素子から照射されたレーザー光を対物レンズを介してディスク状記録媒体の記録面に照射する光学ピックアップを備え、該光学ピックアップに設けられた対物レンズ駆動装置によってディスク状記録媒体の記録面にレーザー光が集光するようにフォーカシング調整及びトラッキング調整が行われるディスクドライブ装置であって、
上記対物レンズ駆動装置は、
支持軸部が対物レンズの光軸方向へ突出して設けられると共にそれぞれマグネットが取り付けられた少なくとも一対のヨーク部を有するベース体と、
被支持孔を有し該被支持孔に上記支持軸部が挿入されて該支持軸部の軸回り方向に回動自在かつ支持軸部の軸方向に摺動自在に支持されると共にフォーカシング調整時にディスクテーブルに装着されたディスク状記録媒体の記録面に離接する方向であるフォーカシング方向に動作されトラッキング調整時にディスクテーブルに装着されたディスク状記録媒体の略半径方向であるトラッキング方向に動作される可動部と、
該可動部に取り付けられると共に上記マグネットに引き寄せられて可動部をフォーカシング方向及びトラッキング方向における中立位置にそれぞれ保持する略環状に形成された磁性部材とを備え、
該磁性部材は、その中心軸が可動部の被支持孔の中心軸に対して、トラッキング方向に直交する方向に所定の角度傾斜された状態で可動部に取り付けられた
ことを特徴とするディスクドライブ装置。
【請求項６】
上記磁性部材として、一部が切断されてスリットが形成された略円環状の部材を用いた
ことを特徴とする請求項５に記載のディスクドライブ装置。
【請求項７】
被支持孔の中心軸に対する磁性部材の中心軸の傾斜角度を２０°乃至４０°とした
ことを特徴とする請求項５に記載のディスクドライブ装置。
【請求項８】
被支持孔の中心軸に対する磁性部材の中心軸の傾斜角度を２０°乃至４０°とした
ことを特徴とする請求項６に記載のディスクドライブ装置。
【発明の詳細な説明】
【０００１】
【発明の属する技術分野】
本発明は対物レンズ駆動装置及びディスクドライブ装置に関する。詳しくは、対物レンズを有する可動部が支持軸部に回動自在かつ摺動自在に支持された対物レンズ駆動装置及び該対物レンズ駆動装置を備えたディスクドライブ装置についての技術分野に関する。
【０００２】
【従来の技術】
光ディスク等のディスク状記録媒体に対して情報信号の記録や再生を行うディスクドライブ装置があり、このようなディスクドライブ装置には、支持軸部にその軸回り方向に回動自在かつ軸方向に摺動自在に支持された可動部を動作させて、ディスク状記録媒体に照射されるレーザー光のフォーカシング調整及びトラッキング調整を行う対物レンズ駆動装置が設けられているものがある。
【０００３】
このような可動部が支持軸部に支持された軸摺動型の対物レンズ駆動装置は、可動部が固定部に対してサスペンションによって支持されているタイプの対物レンズ駆動装置に比して、可動部の重量バランスが良好であるため、フォーカシング方向に直交する方向における耐振動性に優り、自重による可動部の変位が小さい等の長所を有する。
【０００４】
しかしながら、軸摺動型の対物レンズ駆動装置にあっては、可動部のボビンに形成された被支持孔に支持軸部が挿入されて可動部が支持軸部にその軸回り方向に回動自在かつ軸方向に摺動自在に支持されているため、被支持孔と支持軸部との間に一定のクリアランスを有している。
【０００５】
従って、フォーカシング調整時及びトラッキング調整時には、被支持孔と支持軸部との間のクリアランス分だけ、可動部が支持軸部に対して任意の方向へ傾いてしまう。
【０００６】
このように可動部が支持軸部に対して任意の方向へ傾いてしまうと、可動部が動作されたときに傾き方向が変動して動作が不安定になってしまうため、フォーカシング調整及びトラッキング調整に悪影響を及ぼしてしまう。
【０００７】
そこで、従来のディスクドライブ装置に設けられた対物レンズ駆動装置においては、例えば、フレキシブルプリント基板の弾性を利用して可動部に所定の方向へのテンションを付与し、可動部を支持軸部に対して常に一定方向に傾斜させることにより可動部の傾き方向の変動を防止するようにしている。
【０００８】
【発明が解決しようとする課題】
ところが、上記した従来の対物レンズ駆動装置のように、フレキシブルプリント基板によって可動部に所定の方向へのテンションを付与して可動部の傾き方向の変動を防止するようにしたときには、可動部の動作時にテンションが変化し可動部の傾き方向の変動を確実に防止することができず、フォーカシング調整及びトラッキング調整に悪影響が生じていた。
【０００９】
また、ポータブル機器として使用可能なディスクドライブ装置にあっては、使用状況によって対物レンズ駆動装置の姿勢が変化して可動部の移動方向に対する重力の方向が変化するため、この重力の影響により可動部の支持軸部に対する傾き方向が変動して可動部の動作が不安定になってしまうという問題がある。
【００１０】
一方、対物レンズ駆動装置にあっては、可動部の支持軸部に対する傾きが変動したときに、その傾斜角度を極力小さくするために可動部の被支持孔の長さを長くしているものもあるが、被支持孔の長さを長くすると対物レンズ駆動装置の薄型化を図ることができない。
【００１１】
また、可動部の支持軸部に対する傾きを防止するために、可動部にフォーカシング方向と直交する方向への付勢力を付与し、可動部を支持軸部に押し付けて線接触させた状態で摺動させるようにした対物レンズ駆動装置もあるが、この場合には、可動部が支持軸部に線接触する分、可動部の支持軸部に対する摺動性が悪く、また、支持軸部の中心軸と被支持孔の中心軸とがずれてしまうため、対物レンズ駆動装置の特性に悪影響を及ぼしてしまうという問題がある。
【００１２】
そこで、本発明対物レンズ駆動装置及びディスクドライブ装置は、上記した問題点を克服し、可動部の動作の安定化を図ることを課題とする。
【００１３】
【課題を解決するための手段】
本発明対物レンズ駆動装置は、上記した課題を解決するために、支持軸部が対物レンズの光軸方向へ突出して設けられると共にそれぞれマグネットが取り付けられた少なくとも一対のヨーク部を有するベース体と、被支持孔を有し該被支持孔に上記支持軸部が挿入されて該支持軸部の軸回り方向に回動自在かつ支持軸部の軸方向に摺動自在に支持されると共にフォーカシング調整時にディスクテーブルに装着されたディスク状記録媒体の記録面に離接する方向であるフォーカシング方向に動作されトラッキング調整時にディスクテーブルに装着されたディスク状記録媒体の略半径方向であるトラッキング方向に動作される可動部と、該可動部に取り付けられると共に上記マグネットに引き寄せられて可動部をフォーカシング方向及びトラッキング方向における中立位置にそれぞれ保持する略環状に形成された磁性部材とを設け、該磁性部材を、その中心軸が可動部の被支持孔の中心軸に対して、トラッキング方向に直交する方向に所定の角度傾斜した状態で可動部に取り付けたものである。
【００１４】
また、本発明ディスクドライブ装置は、上記した課題を解決するために、対物レンズ駆動装置に、支持軸部が対物レンズの光軸方向へ突出して設けられると共にそれぞれマグネットが取り付けられた少なくとも一対のヨーク部を有するベース体と、被支持孔を有し該被支持孔に上記支持軸部が挿入されて該支持軸部の軸回り方向に回動自在かつ支持軸部の軸方向に摺動自在に支持されると共にフォーカシング調整時にディスクテーブルに装着されたディスク状記録媒体の記録面に離接する方向であるフォーカシング方向に動作されトラッキング調整時にディスクテーブルに装着されたディスク状記録媒体の略半径方向であるトラッキング方向に動作される可動部と、該可動部に取り付けられると共に上記マグネットに引き寄せられて可動部をフォーカシング方向及びトラッキング方向における中立位置にそれぞれ保持する略環状に形成された磁性部材とを設け、該磁性部材を、その中心軸が可動部の被支持孔の中心軸に対して、トラッキング方向に直交する方向に所定の角度傾斜した状態で可動部に取り付けたものである。
【００１５】
従って、本発明対物レンズ駆動装置及びディスクドライブ装置にあっては、マグネットの磁性部材に対する吸着力によって、常に、可動部に一定の方向への回転モーメントが生じる。
【００１６】
【発明の実施の形態】
以下に、本発明対物レンズ駆動装置及びディスクドライブ装置の実施の形態を添付図面に従って説明する。
【００１７】
ディスクドライブ装置１は、薄い箱状を為す外筐２内に所要の各部材及び各機構が配置されて成り、外筐２の前面には横長の矩形状を為す挿脱口２ａが形成されている（図１参照）。ディスク状記録媒体１００は挿脱口２ａを介して外筐２の内部に挿入され又は取り出される。
【００１８】
外筐２内にはシャーシ３が配置されている（図１参照）。シャーシ３の略中央部の下面側には図示しないスピンドルモーターが配置され、該スピンドルモーターのモーター軸にディスクテーブル４が固定されている。
【００１９】
シャーシ３には配置孔３ａが形成され、ディスクテーブル４が配置孔３ａからシャーシ３の上方へ突出されている（図１参照）。
【００２０】
シャーシ３の下面側には、リードスクリュー５とガイド軸６、６とが平行な状態で配置されている（図１参照）。シャーシ３の配置孔３ａには、光学ピックアップ７がディスクテーブル４に装着されるディスク状記録媒体１００の半径方向へ移動可能な状態で配置されている（図１参照）。
【００２１】
光学ピックアップ７は移動ベース８に所要の各部材が配置されて成る。光学ピックアップ７は、移動ベース８の一端部がリードスクリュー５に螺合されると共に移動ベース８の両端部がそれぞれガイド軸６、６に摺動自在に支持され（図１参照）、リードスクリュー５の回転によりガイド軸６、６に案内されてディスク状記録媒体１００の半径方向へ移動される。
【００２２】
対物レンズ駆動装置９は、磁性金属材料によって形成されたベース体１０と該ベース体１０に支持された可動部１１とを備えている（図２乃至図５参照）。
【００２３】
ベース体１０は、移動ベース８の上面に取り付けられる被取付部１２と該被取付部１２の両側縁からそれぞれ上方へ折り曲げられて形成されたヨーク部１３、１３と被取付部１２の略中央部から上方へ突出された支持軸部１４とを有している。
【００２４】
ヨーク部１３は取付部１３ａと該取付部１３ａの前後両側縁から内側に対向するように折り曲げて形成された覆い部１３ｂ、１３ｂとから成り、該覆い部１３ｂ、１３ｂの上側に連続して係合突部１３ｃ、１３ｃが設けられている。
【００２５】
ヨーク部１３、１３の内面には、それぞれマグネット１５、１５が固定されている。マグネット１５、１５は、対向する側の面、即ち、支持軸部１４側の面がともに同極に着磁され、Ｓ極又はＮ極とされている。マグネット１５、１５は覆い部１３ｂ、１３ｂ、・・・によってヨーク部１３、１３に取り付けられる面と直交する２つの各面が覆われている（図２参照）。
【００２６】
可動部１１はボビン１６に所要の各部材が取り付けられて成る。
【００２７】
ボビン１６は本体部１７と該本体部１７から前方へ突出されたレンズホルダー部１９とを有している。
【００２８】
本体部１７は、上面部１７ａと、該上面部１７ａの両側縁から下方へ突出された側面部１７ｂ、１７ｂと、上面部１７ａの後縁から下方へ突出された後面部１７ｃとを有し、該後面部１７ｃの下縁から後方へ向けてバランサー取付部１７ｄが突出されている（図５参照）。上面部１７ａの略中央部には下方へ突出された円筒状を為す被支持筒部１７ｅが設けられている（図５参照）。
【００２９】
本体部１７の被支持筒部１７ｅの内部空間は、被支持孔１８として形成されている（図５参照）。
【００３０】
レンズホルダー部１９には透過孔１９ａが形成され、周縁に保持突部１９ｂ、１９ｂ、１９ｂが設けられている。
【００３１】
ボビン１６のバランサー取付部１７ｄには丸軸状のバランサー２０が取り付けられている（図３及び図５参照）。
【００３２】
ボビン１６のレンズホルダー部１９には対物レンズ２１が保持突部１９ｂ、１９ｂ、１９ｂに周囲から押さえられた状態で保持されている。
【００３３】
ボビン１６の上面部１７ａの下面には、コイル体２２が取り付けられている（図３乃至図５参照）。コイル体２２は軸方向が上下となるように略角筒状に巻回されたフォーカシングコイル２３の両側部にそれぞれ前後に隣接した状態で２つずつのトラッキングコイル２４、２４、・・・が取り付けられて成る。
【００３４】
ボビン１６の被支持筒部１７ｅには、線状の磁性金属材料によって形成された磁性部材２５が取り付けられている（図３乃至図５参照）。磁性部材２５は後方側が開口された略円環状を為し、中心部を挟んで左右両側に外径が最大となる一対の突部２５ａ、２５ａが形成されている。磁性部材２５は、突部２５ａ、２５ａを連結する部分が連結部２５ｂとして設けられ、突部２５ａ、２５ａを挟んで連結部２５ｂの反対側の部分がそれぞれ端部２５ｃ、２５ｃとして設けられている。
【００３５】
磁性部材２５は、連結部２５ｂが端部２５ｃ、２５ｃより上側に位置するように傾斜された前上がりの状態で被支持筒部１７ｅに外嵌状に取り付けられ、突部２５ａ、２５ａが左右に位置されている（図４及び図５参照）。従って、磁性部材２５は、その中心軸２５ｄが、被支持孔１８の中心軸１８ａに対して稍後方へ角度θ傾斜されている（図６参照）。
【００３６】
可動部１１は支持軸部１４が被支持孔１８に挿入されることにより、支持軸部１４に、その軸方向に摺動自在かつ軸回り方向に回動自在に支持される（図２、図４及び図５参照）。支持軸部１４の軸方向がディスク状記録媒体１００に対してフォーカシング調整が為されるフォーカシング方向であり、支持軸部１４の軸回り方向がディスク状記録媒体１００に対してトラッキング調整が為されるトラッキング方向である。
【００３７】
可動部１１が支持軸部１４に支持された状態においては、マグネット１５、１５がボビン１６の側面部１７ｂ、１７ｂの直ぐ外側に対向して位置される。可動部１１が支持軸部１４に支持された状態においては、フレキシブルプリント基板２６の一端部２６ａがボビン１６に取り付けられ、フレキシブルプリント基板２６の他端部２６ｂがベース体１０の被取付部１２に取り付けられる（図５参照）。ボビン１６に取り付けられたフレキシブルプリント基板２６の一端部２６ａはフォーカシングコイル２３及びトラッキングコイル２４、２４、・・・に電気的に接続され、被取付部１２に取り付けられたフレキシブルプリント基板２６の他端部２６ｂは対物レンズ駆動装置９を動作させるための図示しない駆動回路に接続される。
【００３８】
ベース体１０には可動部１１を覆うカバー２７が取り付けられる（図２、図３及び図５参照）。カバー２７は、その天板部２８と該天板部２８の左右両側縁から下方へ突出された側板部２９、２９とが磁性金属材料によって一体に形成され、天板部２８と側板部２９、２９との連続した部分に前後に離間して係合孔２７ａ、２７ａ、・・・が形成されている。
【００３９】
カバー２７は係合孔２７ａ、２７ａ、・・・にベース体１０に設けられた係合突部１３ｃ、１３ｃ、・・・がそれぞれ係合されることによりベース体１０に取り付けられる（図２参照）。
【００４０】
以下に、ディスクドライブ装置１の動作について説明する。
【００４１】
ディスク状記録媒体１００がディスクテーブル４に装着され図示しない記録スイッチ又は再生スイッチが操作されると、スピンドルモーターの駆動によるディスクテーブル４の回転に伴ってディスク状記録媒体１００が回転される。ディスク状記録媒体１００が回転されると、移動ベース８に設けられた発光素子からレーザー光が出射され対物レンズ２１を介してディスク状記録媒体１００の記録面に照射される。
【００４２】
ディスク状記録媒体１００の記録面に照射されたレーザー光は当該記録面で反射され、移動ベース８に設けられた受光素子に入射され、光電変換されて情報信号の記録又は再生が行われる。
【００４３】
情報信号の記録又は再生が行われるときには、対物レンズ駆動装置９によってフォーカシング調整及びトラッキング調整が行われる。フォーカシング調整時には、対物レンズ２１を介して照射されるレーザー光のスポットがディスク状記録媒体１００の記録面に集光するように、可動部１１が支持軸部１４の軸方向に動作される。トラッキング調整時には、対物レンズ２１を介して照射されるレーザー光のスポットがディスク状記録媒体１００の記録面に集光するように、可動部１１が支持軸部１４の軸回り方向に動作される。
【００４４】
尚、可動部１１がフォーカシング方向及びトラッキング方向の何れの方向にも動作されていない状態においては、磁性部材２５がマグネット１５、１５の中央部に引き寄せられ、フォーカシング方向及びトラッキング方向における中立位置に保持されている。
【００４５】
対物レンズ駆動装置９にあっては、上記のように、可動部１１に取り付けられた磁性部材２５が被支持筒部１７ｅに角度θ傾斜された状態で取り付けられているため、マグネット１５、１５によって発生する磁束との関係から磁性部材２５に連結部２５ｂが略上方へ移動する方向への力が発生し、可動部１１に対物レンズ２１が上方へ移動する向きの回転モーメントＭが発生している（図７参照）。従って、可動部１１は支持軸部１４に対して後下がりに傾斜された状態でフォーカシング方向及びトラッキング方向に動作される（図７参照）。
【００４６】
図８は、磁性部材２５の被支持孔１８に対する傾斜角度と発生した回転モーメント（回転トルク）との関係を測定した結果を示すグラフ図である。尚、回転モーメントの測定は、図８に示す磁性部材２５の各部（部分ａ乃至部分ｅ）において発生した値を示している。
【００４７】
図の横軸は被支持孔１８の中心軸１８ａに対する磁性部材２５の中心軸２５ｄの傾斜角度を示しており、プラスが後下がりの状態、マイナスが前下がりの状態を示している。図の縦軸は回転モーメント（回転トルク）の値を示している。
【００４８】
この測定の結果、支持軸部１４に対する可動部１１の良好な摺動性を確保でき、可動部１１が常に一定方向に傾斜された状態を保持できるようにするには、被支持孔１８に対する磁性部材２５の傾斜角度が２０°乃至４０°（−２０°乃至−４０°も含む。）であることが望ましいことが分った。
【００４９】
図９乃至図１１は、可動部１１が各状態（各姿勢）にあるときの、可動部１１のフォーカシング方向における位置と可動部１１の支持軸部１４に対する傾斜角度との関係を測定した結果を示すグラフ図である。これらの測定は、磁性部材２５を被支持孔１８に対して後下がりの状態に３０°傾斜した状態で行っている。また、可動部１１がトラッキング方向へ動作していない中立位置の状態（Ｔｒ＝０．００００ｍｍ）、可動部１１が中立位置から一方へ回動されてトラッキング方向へ移動された状態（−０．２５００ｍｍ）及び可動部１１が中立位置から他方へ回動されてトラッキング方向へ移動された状態（０．２５００ｍｍ）の３つの状態について測定している。
【００５０】
図の横軸は可動部１１のフォーカシング方向における位置を示しており、「０」が中立位置、プラスが被支持軸部１４の先端側へ移動されたときの位置、マイナスが被支持軸部１４の基端側へ移動されたときの位置を示している。測定は、可動部１１のフォーカシング方向における移動範囲（―０．６ｍｍから０．６ｍｍまで）において行っている。図の縦軸は可動部１１の支持軸部１４に対する傾斜角度を示している。
【００５１】
図９は、支持軸部１４の軸方向が垂直方向であるときの状態、図１０は、支持軸部１４の軸方向が水平方向であり対物レンズ２１が支持軸部１４の下方にあるときの状態、図１１は、支持軸部１４の軸方向が水平方向であり対物レンズ２１が支持軸部１４の側方にあるときの状態において測定した結果である。
【００５２】
図１２乃至図１４は、従来の対物レンズ駆動装置の可動部が各状態（各姿勢）にあるときの、可動部のフォーカシング方向における位置と可動部の支持軸部に対する傾斜角度との関係を測定した結果を示すグラフ図である。これらの測定は、磁性部材を被支持孔に対して傾けない状態、即ち、被支持孔の中心軸と磁性部材の中心軸との為す角が０°の状態で行っている。また、可動部１１がトラッキング方向へ動作していない中立位置の状態（Ｔｒ＝０．００００ｍｍ）、可動部１１が中立位置から一方へ回動されてトラッキング方向へ移動された状態（−０．２５００ｍｍ）及び可動部１１が中立位置から他方へ回動されてトラッキング方向へ移動された状態（０．２５００ｍｍ）の３つの状態について測定している。
【００５３】
図の横軸、縦軸は、図９乃至図１１の各図と同じである。
【００５４】
図１２は、支持軸部の軸方向が垂直方向であるときの状態、図１３は、支持軸部の軸方向が水平方向であり対物レンズが支持軸部の下方にあるときの状態、図１４は、支持軸部の軸方向が水平方向であり対物レンズが支持軸部の側方にあるときの状態において測定した結果である。
【００５５】
これらの測定の結果、対物レンズ駆動装置９にあっては、従来の対物レンズ駆動装置に比し、可動部１１がフォーカシング方向に動作されたときの可動部１１の傾斜の向きにほとんど変動がなく、可動部１１が支持軸部１４に対して常に一定の方向に傾斜された状態で動作されることが確認された。
【００５６】
以上に記載した通り、対物レンズ駆動装置９にあっては、磁性部材２５を被支持孔１８に対して傾斜させた状態で可動部１１に取り付けているため、可動部１１は、常に、支持軸部１４に対して一定の方向に傾斜された状態で動作される。
【００５７】
従って、可動部１１が動作されるときに、該可動部１１の支持軸部１４に対する傾斜の向きに変動が生じることがなく、可動部１１の安定した動作状態を確保することができる。
【００５８】
また、可動部１１は常に一定の方向への回転モーメントが発生した状態で動作されるため、可動部１１の姿勢の変化によらず安定した動作状態を確保することができる。
【００５９】
さらに、可動部１１の支持軸部１４に対する傾斜の方向に変動がないため、被支持孔１８の長さを短くすることができ、対物レンズ駆動装置９の薄型化を図ることができる。
【００６０】
さらにまた、可動部１１の被支持孔１８の２つの開口縁と支持軸部１４との２つの接触点を結んだ線の中心Ｏが被支持軸部１４の中心軸１４ａ上に位置するため（図７参照）、支持軸部１４に対する可動部１１のバランスが良好であり、対物レンズ駆動装置９の特性に悪影響を及ぼさない。
【００６１】
加えて、磁性部材２５として、一方が開口された略円環状の部材を用いているため、磁性部材の構成が簡素であり、可動部１１の被支持筒部１７ｅに対する取り付けも非常に簡単に行うことができる。
【００６２】
尚、上記した対物レンズ駆動装置９の可動部１１にあっては、磁性部材２５を、中心軸２５ｄが被支持孔１８の中心軸１８ａに対して後方へ傾斜した状態で被支持筒部１７ｅに取り付けているが、逆に、磁性部材２５を、中心軸２５ｄが被支持孔１８の中心軸１８ａに対して前方へ傾斜した状態で被支持筒部１７ｅに取り付けてもよい。
【００６３】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００６４】
【発明の効果】
以上に記載したところから明らかなように、本発明対物レンズ駆動装置は、ディスクテーブルに装着されるディスク状記録媒体の半径方向へ移動する移動ベースを有すると共に該移動ベースに設けられた発光素子から照射されたレーザー光を対物レンズを介してディスク状記録媒体の記録面に照射する光学ピックアップに設けられ、ディスク状記録媒体の記録面にレーザー光が集光するようにフォーカシング調整及びトラッキング調整を行う対物レンズ駆動装置であって、支持軸部が対物レンズの光軸方向へ突出して設けられると共にそれぞれマグネットが取り付けられた少なくとも一対のヨーク部を有するベース体と、被支持孔を有し該被支持孔に上記支持軸部が挿入されて該支持軸部の軸回り方向に回動自在かつ支持軸部の軸方向に摺動自在に支持されると共にフォーカシング調整時にディスクテーブルに装着されたディスク状記録媒体の記録面に離接する方向であるフォーカシング方向に動作されトラッキング調整時にディスクテーブルに装着されたディスク状記録媒体の略半径方向であるトラッキング方向に動作される可動部と、該可動部に取り付けられると共に上記マグネットに引き寄せられて可動部をフォーカシング方向及びトラッキング方向における中立位置にそれぞれ保持する略環状に形成された磁性部材とを備え、該磁性部材は、その中心軸が可動部の被支持孔の中心軸に対して、トラッキング方向に直交する方向に所定の角度傾斜された状態で可動部に取り付けられたことを特徴とする。
【００６５】
従って、回転モーメントの発生により、可動部は、常に、支持軸部に対して一定の方向に傾斜された状態で動作され、可動部の支持軸部に対する傾斜の向きに変動が生じることがなく、可動部の安定した動作状態を確保することができる。
【００６６】
また、可動部は常に一定の方向への回転モーメントが発生した状態で動作されるため、可動部の姿勢の変化によらず安定した動作状態を確保することができる。
【００６７】
さらに、可動部の支持軸部に対する傾斜の方向に変動がないため、被支持孔の長さを短くすることができ、対物レンズ駆動装置の薄型化を図ることができる。
【００６８】
加えて、可動部の被支持孔の２つの開口縁と支持軸部との２つの接触点を結んだ線の中心が被支持軸部の中心軸上に位置するため、支持軸部に対する可動部のバランスが良好であり、対物レンズ駆動装置の特性に悪影響を及ぼさない。
【００６９】
請求項２に記載した発明にあっては、上記磁性部材として、一部が切断されてスリットが形成された略円環状の部材を用いたので、磁性部材の構成が簡素であり、可動部に対する取り付けも非常に簡単に行うことができる。
【００７０】
請求項３及び請求項４に記載した発明にあっては、被支持孔の中心軸に対する磁性部材の中心軸の傾斜角度を２０°乃至４０°としたので、支持軸部に対する可動部の良好な摺動性を確保でき、可動部を支持軸部に対して確実に一定方向に傾斜させることができる。
【００７１】
本発明ディスクドライブ装置は、ディスクテーブルに装着されるディスク状記録媒体の半径方向へ移動する移動ベースを有すると共に該移動ベースに設けられた発光素子から照射されたレーザー光を対物レンズを介してディスク状記録媒体の記録面に照射する光学ピックアップを備え、該光学ピックアップに設けられた対物レンズ駆動装置によってディスク状記録媒体の記録面にレーザー光が集光するようにフォーカシング調整及びトラッキング調整が行われるディスクドライブ装置であって、上記対物レンズ駆動装置は、支持軸部が対物レンズの光軸方向へ突出して設けられると共にそれぞれマグネットが取り付けられた少なくとも一対のヨーク部を有するベース体と、被支持孔を有し該被支持孔に上記支持軸部が挿入されて該支持軸部の軸回り方向に回動自在かつ支持軸部の軸方向に摺動自在に支持されると共にフォーカシング調整時にディスクテーブルに装着されたディスク状記録媒体の記録面に離接する方向であるフォーカシング方向に動作されトラッキング調整時にディスクテーブルに装着されたディスク状記録媒体の略半径方向であるトラッキング方向に動作される可動部と、該可動部に取り付けられると共に上記マグネットに引き寄せられて可動部をフォーカシング方向及びトラッキング方向における中立位置にそれぞれ保持する略環状に形成された磁性部材とを備え、該磁性部材は、その中心軸が可動部の被支持孔の中心軸に対して、トラッキング方向に直交する方向に所定の角度傾斜された状態で可動部に取り付けられたことを特徴とする。
【００７２】
従って、回転モーメントの発生により、可動部は、常に、支持軸部に対して一定の方向に傾斜された状態で動作され、可動部の支持軸部に対する傾斜の向きに変動が生じることがなく、可動部の安定した動作状態を確保することができる。
【００７３】
また、可動部は常に一定の方向への回転モーメントが発生した状態で動作されるため、可動部の姿勢の変化によらず安定した動作状態を確保することができる。
【００７４】
さらに、可動部の支持軸部に対する傾斜の方向に変動がないため、被支持孔の長さを短くすることができ、対物レンズ駆動装置の薄型化によるディスクドライブ装置の小型化を図ることができる。
【００７５】
加えて、可動部の被支持孔の２つの開口縁と支持軸部との２つの接触点を結んだ線の中心が被支持軸部の中心軸上に位置するため、支持軸部に対する可動部のバランスが良好であり、対物レンズ駆動装置の特性に悪影響を及ぼさずディスクドライブ装置の動作の信頼性の向上を図ることができる。
【００７６】
請求項６に記載した発明にあっては、上記磁性部材として、一部が切断されてスリットが形成された略円環状の部材を用いたので、磁性部材の構成が簡素であり、可動部に対する取り付けも非常に簡単に行うことができる。
【００７７】
請求項７及び請求項８に記載した発明にあっては、被支持孔の中心軸に対する磁性部材の中心軸の傾斜角度を２０°乃至４０°としたので、支持軸部に対する可動部の良好な摺動性を確保でき、可動部を支持軸部に対して確実に一定方向に傾斜させることができる。
【図面の簡単な説明】
【図１】図２乃至図１１と共に本発明の実施の形態を示すものであり、本図はディスクドライブ装置の概略斜視図である。
【図２】カバーを分離して示す対物レンズ駆動装置の拡大斜視図である。
【図３】対物レンズ駆動装置の拡大分解斜視図である。
【図４】カバーを取り外した状態で示す対物レンズ駆動装置の拡大平面図である。
【図５】カバーを取り付けた状態で示す図４のＶ―Ｖ線に沿う断面図である。
【図６】磁性部材と被支持孔との関係を示す可動部の概略拡大側面図である。
【図７】可動部が動作されている状態を示す概略拡大側面図である。
【図８】磁性部材の被支持孔に対する傾斜角度と発生した回転モーメント（回転トルク）との関係を測定した結果を示すグラフ図である。
【図９】図１０及び図１１と共に可動部の各状態（各姿勢）について、可動部のフォーカシング方向における位置と可動部の支持軸部に対する傾斜角度との関係を測定した結果を示すものであり、本図は支持軸部の軸方向が垂直方向であるときの状態における測定結果を示すグラフ図である。
【図１０】支持軸部の軸方向が水平方向であり対物レンズが支持軸部の下方にあるときの状態における測定結果を示すグラフ図である。
【図１１】支持軸部の軸方向が水平方向であり対物レンズが支持軸部の側方にあるときの状態における測定結果を示すグラフ図である。
【図１２】図１３及び図１４と共に従来の対物レンズ駆動装置における可動部の各状態（各姿勢）について、可動部のフォーカシング方向における位置と可動部の支持軸部に対する傾斜角度との関係を測定した結果を示すものであり、本図は支持軸部の軸方向が垂直方向であるときの状態における測定結果を示すグラフ図である。
【図１３】支持軸部の軸方向が水平方向であり対物レンズが支持軸部の下方にあるときの状態における測定結果を示すグラフ図である。
【図１４】支持軸部の軸方向が水平方向であり対物レンズが支持軸部の側方にあるときの状態における測定結果を示すグラフ図である。
【符号の説明】
１…ディスクドライブ装置、４…ディスクテーブル、７…光学ピックアップ、８…移動ベース、９…対物レンズ駆動装置、１０…ベース体、１１…可動部、１３…ヨーク部、１４…支持軸部、１５…マグネット、１８…被支持孔、１８ａ…中心軸、２１…対物レンズ、２５…磁性部材、２５ｄ…中心軸、１００…ディスク状記録媒体
【図１】
0003835245.tif 000002
【図２】
0003835245.tif 000003
【図３】
0003835245.tif 000004
【図４】
0003835245.tif 000005
【図５】
0003835245.tif 000006
【図６】
0003835245.tif 000007
【図７】
0003835245.tif 000008
【図８】
0003835245.tif 000009
【図９】
0003835245.tif 000010
【図１０】
0003835245.tif 000011
【図１１】
0003835245.tif 000012
【図１２】
0003835245.tif 000013
【図１３】
0003835245.tif 000014
【図１４】
0003835245.tif 000015